(57)【特許請求の範囲】
【請求項１】
受信装置に画像信号を送信する送信装置において、
前記受信装置による前記画像信号の表示を制御する制御信号を生成する制御信号生成手段と、
前記制御信号生成手段により生成された前記制御信号を、前記画像信号に多重化する多重化手段と、
前記多重化手段により前記制御信号が多重化された前記画像信号を、前記受信装置に送信する送信手段とを備え、
前記制御信号は、輝度信号と色差信号との組み合わせに関する信号のうち、前記組み合わせの前記輝度信号と前記色差信号とに基づいて計算される、光の３原色信号に対応する値が、０以上１以下の範囲とならない信号である
ことを特徴とする送信装置。
【請求項２】
前記多重化手段は、前記制御信号生成手段により生成された前記制御信号を、前記画像信号のオーバスキャン領域に多重化する
ことを特徴とする請求項１に記載の送信装置。
【請求項３】
受信装置に画像信号を放送する送信装置の送信方法において、
前記受信装置による前記画像信号の表示を制御する制御信号を生成する制御信号生成ステップと、
前記制御信号生成ステップの処理で生成された前記制御信号を、前記画像信号に多重化する多重化ステップと、
前記多重化ステップの処理で前記制御信号が多重化された前記画像信号を、前記受信装置に送信する送信ステップとを含み、
前記制御信号は、輝度信号と色差信号との組み合わせに関する信号のうち、前記組み合わせの前記輝度信号と前記色差信号とに基づいて計算される、光の３原色信号に対応する値が、０以上１以下の範囲とならない信号である
ことを特徴とする送信方法。
【請求項４】
受信装置に画像信号を放送する送信装置を制御するコンピュータに、
前記受信装置による前記画像信号の表示を制御する制御信号の生成を制御する制御信号生成制御ステップと、
前記制御信号生成制御ステップの処理で生成された前記制御信号の、前記画像信号への多重化を制御する多重化制御ステップと、
前記多重化ステップの処理で前記制御信号が多重化された前記画像信号の、前記受信装置への送信を制御する送信制御ステップとを実行させ、
前記制御信号は、輝度信号と色差信号との組み合わせに関する信号のうち、前記組み合わせの前記輝度信号と前記色差信号とに基づいて計算される、光の３原色信号に対応する値が、０以上１以下の範囲とならない信号である
ことを特徴とするプログラム。
【請求項５】
制御信号が多重化された画像信号を受信する受信装置において、
前記制御信号が多重化された画像信号を受信する受信手段と、
前記受信手段により受信された前記画像信号より前記制御信号を抽出する抽出手段と、
前記抽出手段により抽出された前記制御信号に基づいて、前記画像信号の表示を制御する表示制御手段と
を備え、
前記制御信号は、輝度信号と色差信号の組み合わせに関する信号のうち、前記組み合わせの前記輝度信号と前記色差信号とに基づいて計算される、光の３原色信号に対応する値が、０以上１以下の範囲とならない信号である
ことを特徴とする受信装置。
【請求項６】
前記画像信号のアスペクト比を変換するアスペクト比変換手段をさらに備え、
前記表示制御手段は、前記制御信号に対応して、前記アスペクト比変換手段により画像信号のアスペクト比が変換されるときに生じる無画像部分に対して補間処理を施すことにより、前記画像信号の表示を制御する
ことを特徴とする請求項５に記載の受信装置。
【請求項７】
制御信号が多重化された画像信号を受信する受信装置の受信方法において、
前記制御信号が多重化された画像信号を受信する受信ステップと、
前記受信ステップの処理で受信された前記画像信号より、前記制御信号を抽出する抽出ステップと、
前記抽出ステップの処理で抽出された前記制御信号に基づいて、前記画像信号の表示を制御する表示制御ステップと
を含み、
前記制御信号は、輝度信号と色差信号の組み合わせに関する信号のうち、前記組み合わせの前記輝度信号と前記色差信号とに基づいて計算される、光の３原色信号に対応する値が、０以上１以下の範囲とならない信号である
ことを特徴とする受信方法。
【請求項８】
制御信号が多重化された画像信号を受信する受信装置を制御するコンピュータに、
前記制御信号が多重化された画像信号の受信を制御する受信制御ステップと、
前記受信制御ステップの処理で受信された前記画像信号より、前記制御信号の抽出を制御する抽出制御ステップと、
前記抽出制御ステップの処理で抽出された前記制御信号に基づいて、前記画像信号の表示を制御する表示制御ステップと
を含む処理を実行させ、
前記制御信号は、輝度信号と色差信号の組み合わせに関する信号のうち、前記組み合わせの前記輝度信号と前記色差信号とに基づいて計算される、光の３原色信号に対応する値が、０以上１以下の範囲とならない信号である
ことを特徴とするプログラム。
【請求項９】
画像信号を送信する送信装置と、前記画像信号を受信する受信装置からなる放送システムにおいて、
前記送信装置は、
前記受信装置による前記画像信号の表示を制御する制御信号を生成する制御信号生成手段と、
前記制御信号生成手段により生成された前記制御信号を、前記画像信号に多重化する多重化手段と、
前記多重化手段により前記制御信号が多重化された前記画像信号を、前記受信装置に送信する送信手段と
を備え、
前記受信装置は、
前記制御信号が多重化された画像信号を受信する受信手段と、
前記受信手段により受信された前記画像信号より、前記制御信号を抽出する抽出手段と、
前記抽出手段により抽出された前記制御信号に基づいて、前記画像信号の表示を制御する表示制御手段と
を備え、
前記制御信号は、輝度信号と色差信号との組み合わせに関する信号のうち、前記組み合わせの前記輝度信号と前記色差信号とに基づいて計算される、光の３原色信号に対応する値が、０以上１以下の範囲とならない信号である
ことを特徴とする放送システム。
【発明の詳細な説明】
【０００１】
【発明の属する技術分野】
本発明は、送信装置および方法、受信装置および方法、放送システム、並びにプログラムに関し、特に、送信装置が、画像信号に制御信号を多重化させて放送し、受信装置が、受信した画像信号に多重化されている制御信号に基づいて、画像信号の表示を制御できるようにした送信装置および方法、受信装置および方法、放送システム、並びにプログラムに関する。
【０００２】
【従来の技術】
従来のＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）、ＰＡＬ（Ｐｈａｓｅ  Ａｌｔｅｒｎａｔｉｎｇ  Ｌｉｎｅ）、もしくはＳＥＣＡＭ（Ｓｅｑｕｅｎｔｉａｌ  Ｃｏｌｏｒ  Ａｎｄ  Ｍｅｍｏｒｙ）などの放送方式では、いずれも、画面のアスペクト比が４：３とされているが、ハイビジョン放送においては、画面のアスペクト比が１６：９とされており、従来の放送方式と比較して、横長のワイド画面となっている。このテレビ画面のワイド化は、今まで以上に迫力ある画面を再現し、視聴者に対して臨場感を表現する上で、必要不可欠なものである。また、ハイビジョン放送の普及に伴い、画面サイズが横長のワイド画面（例えば、アスペクト比１６：９）のテレビジョン受像機も普及してきている。
【０００３】
視聴者が、ワイド画面のテレビジョン受像機を用いて、アスペクト比４：３の放送方式による放送画像を受信した場合、アスペクト比４：３の画像を、そのままアスペクト比１６：９の表示画面に表示したのでは、水平方向の両端部（両袖）に、無画像部分が発生してしまう。
【０００４】
この無画像部分に対しては、例えば、黒、青、緑などで彩色した、無模様の画像を挿入するようになされていたが、この画像の不自然さは否めない。そこで、両袖部分が不自然な表示画像にならないように、例えば、アスペクト比４：３の画像信号の両端の画像信号を用いて、両袖部分の画像を補間する技術がある。
【０００５】
ここで、図１を参照して、従来の放送信号を受信する受信装置における、アスペクト比を４：３から１６：９に変換し、その際に生じる両袖部の補間信号の生成および付加を行うアップコンバータ１の構成を説明する。
【０００６】
動き適応内挿変換処理部１１は、例えば、図示しないアンテナで受信され、図示しないデコーダでデコードされた、ＮＴＳＣ方式で７２０（サンプル）×４８０ｉ（インタレース）のアスペクト比４：３の画像信号より生成される画像の動きを検出し、この動きに適応して、４８０ｐ（プログレッシブ）の画像信号の色差データ（Ｙ，Ｃｂ，Ｃｒ）に変換し、マトリクス彩色変換部１２に出力する。尚、ここで、Ｙは、輝度データ、Ｃｂは、４８０ｉ用の青色に対応する色差データを、Ｃｒは、４８０ｉ用の赤色に対応する色差データをそれぞれ示している。
【０００７】
マトリクス彩色変換部１２は、動き適応内挿変換処理部１１より入力された４８０ｐの画像信号の色差データ（Ｙ，Ｃｂ，Ｃｒ）を、１０８０ｉ用の色差データ（Ｙ、Ｐｂ，Ｐｒ）に変換し、アップコンバート部１３に出力する。ここで、Ｐｂは、１０８０ｉ用の青色の色差データを、Ｐｒは、１０８０ｉ用の赤色の色差データをそれぞれ示している。
【０００８】
アップコンバート処理部１３は、マトリクス色彩変換部１２より入力された色差データ（Ｙ、Ｐｂ，Ｐｒ）の走査線数を４８０ｐから１０８０ｉに変換すると共に、水平方向のサンプル数を７２０サンプルから１９２０サンプルに変換し、アスペクト比１６：９の画像信号を生成し、両袖補間信号生成部１４および遅延回路１５に出力する。
【０００９】
両袖補間信号生成部１４は、アップコンバート処理部１３より入力された、画像信号の左縁部および右縁部（それぞれの画素信号が存在する左右の縁部）から、それぞれ左右の袖部の画素信号を補間した画像信号を生成して、スイッチ１８に出力する。遅延回路１５は、アップコンバート処理部１３より入力された画像信号を、両袖補間信号生成部１４の処理時間だけ、一時的に記憶した後（遅延させた後）、加算器１６に出力する。スイッチ１８は、ユーザにより操作されて、手動で切り替えられるスイッチであり、両袖補間処理が必要である場合、オンにされ、それ以外の場合、オフにされる。
【００１０】
加算器１６は、スイッチ１８がオンの場合、スイッチ１８を介して両袖補間信号生成部１４より入力される画像の両袖部分の画像信号と、遅延回路１５より入力される画像信号とを加算処理し、左右両袖部分が補間された画像信号を生成して、パラレル／シリアル変換部１７に出力する。
【００１１】
パラレル／シリアル変換部１７は、両袖部分が補間され、アスペクト比が１６：９に変換された画像信号を、パラレル信号からシリアル信号に変換し、ＨＤＳＤＩ（Ｈｉｇｈ  Ｄｅｎｓｉｔｙ  Ｓｅｒｉａｌ  Ｄｉｇｉｔａｌ  Ｉｎｔｅｒｆａｃｅ）方式のワイド画像素材の画像信号として、図示せぬ表示部に出力し、表示させる。
【００１２】
次に、アップコンバータ１が、入力されたＮＴＳＣ方式の画像信号のアスペクト比を変換するときの動作について説明する。動き適応内挿変換処理部１１は、例えば、図示しないアンテナで受信され、図示しないデコーダでデコードされた、ＮＴＳＣ方式で７２０（サンプル）×４８０ｉ（インタレース）のアスペクト比４：３の、図２（Ａ）に示す画像素材に対応する画像信号により再生される画像の動きを検出し、この動きに適応して、４８０ｐ（プログレッシブ）の画像信号の色差データ（Ｙ，Ｃｂ，Ｃｒ）に変換し、マトリクス彩色変換部１２に出力する。
【００１３】
マトリクス彩色変換部１２は、動き適応内挿変換処理部１１より入力された４８０ｐの画像信号の色差データ（Ｙ，Ｃｂ，Ｃｒ）を、１０８０ｉ用の色差データ（Ｙ、Ｐｂ，Ｐｒ）に変換し、アップコンバート処理部１３に出力する。
【００１４】
アップコンバート処理部１３は、マトリクス色彩変換部１２より入力された色差データ（Ｙ、Ｐｂ，Ｐｒ）の走査線数を４８０ｐから１０８０ｉに、水平方向のサンプル数を７２０サンプルから１９２０サンプルに、それぞれ変換し、図２（Ｂ）に示すようなアスペクト比１６：９の画像信号を生成し、両袖補間信号生成部１４および遅延回路１５に出力する。尚、この走査線数と、サンプル数が拡大された画像信号は、図２（Ｂ）に示すように、左右の縁部分の画素信号が、存在しない状態となる。
【００１５】
両袖補間信号生成部１４は、アップコンバート処理部１３より入力された、図２（Ｂ）に示す画像信号の左右の縁部から、それぞれ左右の袖部の画素信号を補間し、図２（Ｃ）に示すような画像の画像信号を生成して、スイッチ１８に出力する。遅延回路１５は、アップコンバート処理部１３より入力された画像信号を、両袖補間信号生成部１４の処理時間だけ、一時的に記憶した後（一時的に遅延させた後）、加算器１６に出力する。
【００１６】
スイッチ１８がオンの場合、加算器１６は、スイッチ１８を介して両袖補間信号生成部１４より入力される画像の両袖部分の画像信号と、遅延回路１５より入力される画像信号とを加算処理し、図２（Ｄ）に示すように、図２（Ｂ）の映像信号の左右両袖部分が補間された画像信号を生成して、パラレル／シリアル変換部１７に出力する。
【００１７】
パラレル／シリアル変換部１７は、両袖部分が補間され、アスペクト比が４：３から１６：９に変換された画像信号を、パラレル信号からシリアル信号に変換し、ＨＤＳＤＩ方式のワイド画像素材の画像信号として、図示せぬ表示部に出力し、表示させる。
【００１８】
尚、スイッチ１８がオフの場合、両袖補間信号生成部１４からの信号が加算器１４に出力されないので、図２（Ｂ）に示すような両袖部分に画像信号が存在しない（両袖部分が補間されていない）画像がパラレル／シリアル変換部１７に出力されることになる。
【００１９】
【発明が解決しようとする課題】
ところで、放送される画像信号によっては、両袖補間を行わずアスペクト比を４：３のまま表示したい場合がある。例えばテロップ画像（画像上にテキスト文字などの画像）をオーバレイ表示させるような場合、スイッチ１８をオフにして、両袖補間信号生成部１４により生成された画像信号をアップコンバート処理部１３より出力された画像信号に加算しないようにしている。
【００２０】
しかしながら、上述のアップコンバータ１では、受信した画像信号にテロップ画像が含まれているか否かをユーザが判断し、スイッチ１８を手動で切替えなければならず、その切替に手間がかかるという課題があった。
【００２１】
本発明はこのような状況に鑑みてなされたものであり、送信装置が、画像信号を送信する際に、スイッチ１８のオン、または、オフを制御するための制御信号を多重化して送信し、受信装置のアップコンバータ１が、この制御信号に基づいて、スイッチ１８のオン、または、オフを制御できるようにすることで、ユーザがスイッチ１８の操作を意識することなく、両袖部分の補間処理の有無を制御できるようにするものである。
【００２２】
【課題を解決するための手段】
本発明の送信装置は、受信装置による画像信号の表示を制御する制御信号を生成する制御信号生成手段と、制御信号生成手段により生成された制御信号を、画像信号に多重化する多重化手段と、多重化手段により制御信号が多重化された画像信号を、受信装置に送信する送信手段とを備え、制御信号は、輝度信号と色差信号との組み合わせに関する信号のうち、その組み合わせの輝度信号と色差信号とに基づいて計算される、光の３原色信号に対応する値が、０以上１以下の範囲とならない信号であることを特徴とする。
【００２４】
前記多重化手段には、制御信号生成手段により生成された制御信号を、画像信号のオーバスキャン領域に多重化させるようにすることができる。
【００２５】
本発明の送信方法は、受信装置による画像信号の表示を制御する制御信号を生成する制御信号生成ステップと、制御信号生成ステップの処理で生成された制御信号を、画像信号に多重化する多重化ステップと、多重化ステップの処理で制御信号が多重化された画像信号を、受信装置に送信する送信ステップとを含み、制御信号は、輝度信号と色差信号との組み合わせに関する信号のうち、その組み合わせの輝度信号と色差信号とに基づいて計算される、光の３原色信号に対応する値が、０以上１以下の範囲とならない信号であることを特徴とする。
【００２６】
本発明の第1のプログラムは、受信装置による画像信号の表示を制御する制御信号の生成を制御する制御信号生成制御ステップと、制御信号生成制御ステップの処理で生成された制御信号の、画像信号への多重化を制御する多重化制御ステップと、多重化ステップの処理で制御信号が多重化された画像信号の、受信装置への送信を制御する送信制御ステップとを実行させ、制御信号は、輝度信号と色差信号との組み合わせに関する信号のうち、その組み合わせの輝度信号と色差信号とに基づいて計算される、光の３原色信号に対応する値が、０以上１以下の範囲とならない信号であることを特徴とする。
【００２７】
本発明の受信装置は、制御信号が多重化された画像信号を受信する受信手段と、受信手段により受信された画像信号より、制御信号を抽出する抽出手段と、抽出手段により抽出された制御信号に基づいて、画像信号の表示を制御する表示制御手段とを備え、制御信号は、輝度信号と色差信号の組み合わせに関する信号のうち、その組み合わせの輝度信号と色差信号とに基づいて計算される、光の３原色信号に対応する値が、０以上１以下の範囲とならない信号であることを特徴とする。
【００２８】
前記画像信号のアスペクト比を変換するアスペクト比変換手段をさらに設けるようにさせることができ、表示制御手段には、制御信号に対応して、アスペクト比変換手段により画像信号のアスペクト比が変換されるときに生じる無画像部分に対して補間処理を施すことにより、画像信号の表示を制御させるようにすることができる。
【００３０】
本発明の受信方法は、制御信号が多重化された画像信号を受信する受信ステップと、受信ステップの処理で受信された画像信号より、制御信号を抽出する抽出ステップと、抽出ステップの処理で抽出された制御信号に基づいて、画像信号の表示を制御する表示制御ステップとを含み、制御信号は、輝度信号と色差信号の組み合わせに関する信号のうち、その組み合わせの輝度信号と色差信号とに基づいて計算される、光の３原色信号に対応する値が、０以上１以下の範囲とならないものであることを特徴とする。
【００３１】
本発明の第２のプログラムは、制御信号が多重化された画像信号の受信を制御する受信制御ステップと、受信制御ステップの処理で受信された画像信号より、制御信号の抽出を制御する抽出制御ステップと、抽出制御ステップの処理で抽出された制御信号に基づいて、画像信号の表示を制御する表示制御ステップとをコンピュータに実行させ、制御信号は、輝度信号と色差信号の組み合わせに関する信号のうち、その組み合わせの輝度信号と色差信号とに基づいて計算される、光の３原色信号に対応する値が、０以上１以下の範囲とならない信号であることを特徴とする。
【００３２】
本発明の放送システムは、送信装置が、受信装置による画像信号の表示を制御する制御信号を生成する制御信号生成手段と、制御信号生成手段により生成された制御信号を、画像信号に多重化する多重化手段と、多重化手段により制御信号が多重化された画像信号を、受信装置に送信する送信手段とを備え、受信装置が、制御信号が多重化された画像信号を受信する受信手段と、受信手段により受信された画像信号より、制御信号に含まれる輝度信号と色差信号の組み合わせに関する信号を抽出する抽出手段と、抽出手段により抽出された制御信号に基づいて、画像信号の表示を制御する表示制御手段とを備え、制御信号は、輝度信号と色差信号との組み合わせに関する信号のうち、その組み合わせの輝度信号と色差信号とに基づいて計算される、光の３原色信号に対応する値が、０以上１以下の範囲とならない信号であることを特徴とする。
【００３３】
本発明の送信装置および方法、並びにプログラムにおいては、受信装置による画像信号の表示を制御する、輝度信号と色差信号との組み合わせに関する信号のうち、その組み合わせの輝度信号と色差信号とに基づいて計算される、光の３原色信号に対応する値が、０以上１以下の範囲とならない信号である制御信号が生成され、生成された制御信号が、画像信号に多重化され、制御信号が多重化された画像信号が、受信装置に送信される。
【００３４】
本発明の受信装置および方法、並びにプログラムにおいては、輝度信号と色差信号との組み合わせに関する信号のうち、その組み合わせの輝度信号と色差信号とに基づいて計算される、光の３原色信号に対応する値が、０以上１以下の範囲とならない信号である制御信号が多重化された画像信号が受信され、受信された画像信号より、制御信号が抽出され、抽出された制御信号に基づいて、画像信号の表示が制御される。
【００３５】
本発明の放送システムおよび方法、並びにプログラムにおいては、送信装置により、受信装置による画像信号の表示を制御する、輝度信号と色差信号との組み合わせに関する信号のうち、その組み合わせの輝度信号と色差信号とに基づいて計算される、光の３原色信号に対応する値が、０以上１以下の範囲とならない信号である制御信号が生成され、生成された制御信号が、画像信号に多重化され、制御信号が多重化された画像信号が、受信装置に送信され、受信装置により、制御信号が多重化された画像信号が受信され、受信された画像信号より、制御信号が抽出され、抽出された制御信号に基づいて、画像信号の表示が制御される。
【００３６】
【発明の実施の形態】
図３は、本発明を適応した放送システムの一実施の形態の構成を示す図である。送信装置２２は、カメラ２１より図示せぬ被写体が撮像されている画像信号を、放送信号としてアンテナ２２ａより各受信装置２３に向けて送信する（放送する）。受信装置２３は、いわゆる、ワイド画面を表示することができるテレビジョン受像機などである。アップコンバータ１はアンテナ２３ａを介して受信された画像信号のアスペクト比をアップコンバートさせて（４：３から１６：９に変換させて）表示部２４に出力し、表示させる。尚、図３以降の図面の説明においては、従来の場合と対応する部分には同一の符号を付してあり、その説明は適宜省略する。また、図３のアップコンバータ１は、図１のアップコンバータ１と同様の処理を実行するが、その構成が異なる。アップコンバータ１の詳細は、図２５を参照して後述する。
【００３７】
次に、図４を参照して、送信装置２２の詳細な構成について説明する。
【００３８】
カメラ２１は、図示せぬ被写体を撮像し、撮像した被写体の画像信号をＧＢＲ（Ｇｒｅｅｎ  Ｂｌｕｅ  Ｒｅｄ）信号としてマトリクス回路３１に出力する。ここで、ＧＢＲ信号とは、光の３原色の信号である。マトリクス回路３１は、カメラ２１より入力されるＧＢＲ信号を、輝度信号と色差信号（Ｙ，Ｂ−Ｙ，Ｒ−Ｙ）に変換し、それぞれをセレクタ３３ａ乃至３３ｃに出力する。
【００３９】
マーカ信号生成回路３２は、受信装置２３が、アスペクト比を変換する場合、両袖補間生成処理された画像を加算させるか否かを制御するための制御信号としてのマーカ信号を、Ｙ、Ｂ−Ｙ、Ｒ−Ｙの輝度信号と色差信号と同様のフォーマットで、かつ、ＲＧＢ信号に非可逆な信号を生成し、セレクタ３３ａ乃至３３ｂとセレクタ３４ａ乃至３４ｃに、それぞれ異なる２種類の信号を出力する。
【００４０】
セレクタ３３ａ乃至３３ｃは、同期信号発生回路３９より入力されるゲートパルスに基づいて、ゲートパルスがＨｉｇｈのとき（後述するオーバスキャン領域の所定の位置のとき）、マーカ信号生成回路３２より入力されるマーカ信号を、Ｌｏｗのとき、マトリクス回路３１から入力される画像信号を、それぞれ選択し、セレクタ３３ａは、セレクタ３４ａに、セレクタ３３ｂは、セレクタ３４ｂに、セレクタ３３ｃは、セレクタ３４ｃにそれぞれ出力する。セレクタ３４ａ乃至セレクタ３４ｃは、セレクタ３３ａ乃至３３ｃと同様にして、同期信号発生回路３９より入力されるゲートパルスに基づいて、ゲートパルスがＨｉｇｈのとき、マーカ信号生成回路３２より入力されるマーカ信号を、Ｌｏｗのとき、セレクタ３３ａ乃至３３ｃから入力される画像信号を、それぞれ選択し、セレクタ３４ａは、遅延回路（ＤＬ：Ｄｅｌａｙ回路）３５に、セレクタ３４ｂ，３４ｃは、それぞれＬＰＦ（Ｌｏｗ  ＰａｓｓＦｉｌｔｅｒ）３６，３７に出力する。尚、同期信号発生回路３９より入力されるゲートパルスは、セレクタ３３，３４では相互に異なるので、同じタイミングで、セレクタ３３，３４からマーカ信号が選択されないような構成となっている。また、以上の例においては、２個のセレクタが各信号毎に設けられているが、それ以上の数のセレクタが設けられるようにしても良い。
【００４１】
尚、以下の説明において、特に、セレクタ３３ａ乃至３３ｃ、または、セレクタ３４ａ乃至３４ｃを、個々に区別する必要が無い場合、単に、セレクタ３３、または、セレクタ３４と称する。その他の装置も同様とする。また、マトリクス回路３１から出力される画像信号と、マーカ信号生成回路３２から出力される信号は、いずれも、Ｙ、Ｂ−Ｙ、Ｒ−Ｙの輝度信号と色差信号からなる同一のフォーマットから構成されているので、以下の説明においては、いずれの信号も、輝度信号Ｙ、色差信号Ｂ−Ｙ，Ｒ−Ｙと称するものとする。
【００４２】
ＤＬ３５は、セレクタ３３ａより入力された輝度信号Ｙを一時的に記憶した後（ＬＰＦ３６，３７より入力された色差信号Ｂ−Ｙ，Ｒ−Ｙが、それぞれＢ−Ｙ信号変調器４１、および、Ｒ−Ｙ信号変調器４０により処理される時間だけ遅延させた後）、加算器４２に出力する。
【００４３】
ＬＰＦ３６，３７は、セレクタ３４ｂ，３４ｃより入力される色差信号Ｂ−Ｙ，Ｒ−Ｙの高周波成分を除去して、波形成形した後、それぞれをＢ−Ｙ信号変調器４１、および、Ｒ−Ｙ信号変調器４０に出力する。
【００４４】
Ｒ−Ｙ信号変調器４０は、ＬＰＦ３７より入力された、波形整形されている色差信号Ｒ−Ｙを、同期信号発生回路３９より入力される同期信号に同期して、変調し、加算器４２に出力する。Ｂ−Ｙ信号変調器４１は、ＬＰＦ３６より入力された、波形整形されている色差信号Ｂ−Ｙを、同期信号発生回路３９より発生され、９０°位相器３９により９０°位相が遅延されて入力された同期信号に同期して、変調し、加算器４２に出力する。
【００４５】
同期信号発生回路３９は、垂直同期信号、および、水平同期信号をＲ−Ｙ信号変調回路４０、並びに９０°位相器３９に、また、バースト信号を加算器４２に出力する。さらに、ユーザにより操作部４３が操作され、受信装置２３のアップコンバータ１に両袖補間処理を実行させないためのマーカ信号を、後述する画像信号のオーバスキャン領域に挿入させるとき、同期信号発生回路３９は、ゲートパルスをセレクタ３３ａ乃至３３ｃ、または、セレクタ３４ａ乃至３４ｃに出力する。より詳細には、同期信号発生回路３９は、図５に示すように、クリスタル水晶振動子５１、水平カウンタ５２、水平同期信号発生器５３、垂直カウンタ５４、および、垂直同期信号発生器５５から構成されている。
【００４６】
クリスタル水晶振動子５１は、所定の周期（副搬送波周波数Ｆｓｃ（＝３．５７９５９４・・・・ＭＨｚ）の４倍の周波数（≒１４．３ＭＨｚ））のクロック信号を発生し、水平カウンタ５２に出力する。水平カウンタ５２は、クリスタル水晶振動子５１より入力されるクロック信号をＮＴＳＣ方式の画像信号の水平方向の９１０サンプルに相当する９１０回で分周し、９ｂｉｔのクロック信号として水平同期信号発生器５３に出力する。尚、ＮＴＳＣ方式の画像信号では、表示される画面の水平方向のサンプル数としては、７２０サンプルが標準となっているが、画像信号としては、９１０サンプルの信号が含まれている。ＮＴＳＣ方式の画像信号の構成については詳細を後述する。
【００４７】
水平同期信号発生器５３は、図６に示すように、所定の定数Ａ乃至Ｃをメモリ６２ａ乃至６２ｃに記憶しており、比較器６１が、水平カウンタ５２より入力される９ｂｉｔのクロック信号と比較し、一致するとき、所定のパルスを出力する。すなわち、メモリ６２には、いずれかに、９１０回に相当する定数が記憶され、９１０回に相当するクロック信号が検出されると、水平同期信号発生器５３は、画像信号の水平同期信号としてのパルスを発生する。また、それ以外のパルスは、セレクタ３３、または、セレクタ３４に出力されるゲートパルスとなる。
【００４８】
垂直カウンタ５４は、水平同期信号発生器５３より入力される水平同期信号を、ＮＴＳＣ方式の画像信号の水平走査線数に相当する５２５回で分周し、９ｂｉｔのクロック信号として、垂直同期信号発生器５５に出力する。
【００４９】
垂直同期信号発生器５５は、水平同期信号発生器５３と同様に、所定の定数を記憶したメモリ（メモリ６２に相当する）を記憶しており、垂直カウンタ５４より入力されたクロック信号の回数と比較し、一致したとき、パルスを発生する。すなわち、５２５回に相当する定数が記憶され、５２５回に相当するクロック信号が検出されると、垂直同期信号発生器５５は、垂直同期信号としてのパルスを発生する。また、それ以外のパルスは、セレクタ３３、または、セレクタ３４に出力されるゲートパルスとなる。バースト信号発生器５６は、画像信号がカラー画像であるか、または、白黒画像であるかを示す、バースト信号を発生し、加算器４２に出力する。
【００５０】
加算器４２（図４）は、ＤＬ３５より入力される輝度信号Ｙ、Ｂ−Ｙ信号変調器４１より入力される、変調処理された色差信号Ｂ−Ｙ、Ｒ−Ｙ信号変調器４０より入力された変調処理された色差信号Ｒ−Ｙ、および、同期信号発生回路３９より入力されたバースト信号を加算し、これらを加算した信号をアンテナ２２ａ、または、モニタ４４に出力し、受信装置２３に送信させる（放送させる）と共に、モニタ４４に表示させる。
【００５１】
操作部４３は、ボタンなどから構成され、受信装置２３のアップコンバータ１に両袖補間処理を実行させないように状態をオン、または、オフにするとき、ユーザにより操作される。
【００５２】
モニタ４４は、画像信号を表示する。また、モニタ４４は、受信装置２３の表示部２４には表示されない、画像信号のうちの後述するオーバスキャン領域までも表示させることができる。
【００５３】
次に、図７を参照して、ＮＴＳＣ方式の画像信号の詳細を説明する。
【００５４】
ＮＴＳＣ方式の画像信号は、図７（Ａ）に示すように、水平方向に９１０サンプル、垂直方向に５２５本の信号から形成されている。この９１０×５２５の画像信号には、１フレーム分の画像信号を形成する、２フィールド分の画像信号が含まれている。
【００５５】
フィールドは、画像（フレーム）を構成する最上段の水平走査線から、１本おきの水平走査線から構成されるトップフィールド（図７中のフィールドＩ）と、最下段の水平走査線を含み、トップフィールドを構成する水平走査線の間の水平走査線から構成されるボトムフィールド（図７中のフィールドＩＩ）に分けられる。
【００５６】
水平走査線の最上段をＬｉｎｅ１とした場合、トップフィールド（以下、フィールドＩと称する）は、Ｌｉｎｅ２１乃至Ｌｉｎｅ２６３から構成され、さらに、ボトムフィールド（以下、フィールドＩＩと称する）は、Ｌｉｎｅ２８３乃至Ｌｉｎｅ５２５の範囲に形成されている。すなわち、１個のフィールドは、水平走査線２４２Ｌｉｎｅ分で構成されている。
【００５７】
また、各フィールドは、水平方向に７６８サンプルで構成されている。尚、図７において、サンプル数は、各フィールドの水平方向の左端を起点として（０として）右方向にカウントし、各フィールドの右端の次は、画像信号を形成する左端に進み、起点の左隣の位置が９０９サンプル目となるように表示されている。
【００５８】
さらに、各フィールドには、図７（Ｂ）に示すように、その上下約２．５％分（６Ｌｉｎｅ≒２４２Ｌｉｎｅ×０．０２５）の水平走査線部分がオーバスキャン領域として確保されており、通常、受信装置２３の表示部２４では画像として表示されない領域である。すなわち、図７（Ａ）におけるＬｉｎｅ２１乃至Ｌｉｎｅ２６、Ｌｉｎｅ２５８乃至Ｌｉｎｅ２６３、Ｌｉｎｅ２８３乃至Ｌｉｎｅ２８８、および、Ｌｉｎｅ５２０乃至Ｌｉｎｅ５２５の範囲がオーバスキャン領域となる（図７中の斜線部分がオーバスキャン領域を示している）。
【００５９】
従って、実質的には、各フィールド内の２３０Ｌｉｎｅ×７６８サンプルの領域に、受信装置で実際に表示される画像信号が記録されていることになる。
【００６０】
次に、セレクタ３３，３４が、入力された信号のうち、上述のＮＴＳＣ方式の画像信号中のオーバスキャン領域にマーカ信号生成回路３２からのマーカ信号を選択させるためのゲートパルスを発生させる原理について説明する。
【００６１】
例えば、図６に示す水平カウンタ５２から発生される９ｂｉｔの値の変化を図８（Ａ）乃至（Ｆ）で示す。ここで、図８（Ａ）は、ＭＳＢ（Ｍｏｓｔ  Ｓｉｇｎｉｆｉｃａｎｔ  Ｂｉｔ）であり、図８（Ｂ）は、第４位のビットの値であり、図８（Ｃ）は、第３位のビットの値であり、図８（Ｄ）は、第２位のビットの値であり、図８（Ｅ）は、第１位のビットであり、さらに、図８（Ｆ）は、ＬＳＢ（Ｌｅａｓｔ  Ｓｉｇｎｉｆｉｃａｎｔ  Ｂｉｔ）の値を示している。図８（Ｆ）に示す０乃至９１０の値は、パルスのカウント数であり、ＨｉｇｈとＬｏｗが変化する毎にカウントされる値である。図８（Ｆ）のパルス幅は、４Ｆｓｃ（＝１４．３ＭＨｚ）、すなわち、クリスタル振動子５１の発振周波数である。
【００６２】
例えば、メモリ６２ａに、定数Ａ＝５が記憶されていた場合、図８（Ｆ）に示すように、カウント数が５のパルスが、垂直同期信号発生器５３の比較器６１に入力されると、比較器６１は、入力された値がカウント数＝５であることを認識し、定数Ａ＝５と比較する。このとき、両者が一致するので、比較器５３は、図８（Ｇ）に示すように、ゲートパルスＡを出力する。
【００６３】
同様にして、メモリ６２ｂに定数Ｂ＝３，１１が記憶されていた場合、図８（Ｆ）に示すように、カウント数として３のパルスが比較器６１に入力されると、メモリ６２ｂに記憶された値と一致するので、比較器６１は、図８（Ｈ）に示すように、ゲートパルスＢを出力し、また、カウント数が１１のパルスが入力されると、再び、ゲートパルスＢを出力する。
【００６４】
さらに、メモリ６２ｃに定数Ｃ＝６乃至１５が記憶されていた場合、カウント数６乃至１５のカウント数のパルスが入力されている間、図８（Ｉ）に示すように、比較器６１は、ゲートパルスＣを出力する。
【００６５】
また、垂直同期信号発生器５５においても、同様の方法で、ゲートパルスを発生させることができる。従って、水平同期信号発生器５３、および、垂直同期信号発生器５４のメモリ６２に記憶させる定数を、図７（Ａ）の０乃至７６７サンプルの範囲で、かつ、Ｌｉｎｅ２１乃至Ｌｉｎｅ２６、Ｌｉｎｅ２５８乃至Ｌｉｎｅ２６３、Ｌｉｎｅ２８３乃至Ｌｉｎｅ２８８、および、Ｌｉｎｅ５２０乃至Ｌｉｎｅ５２５の範囲でゲートパルスを発生させれば、そのタイミングで、セレクタ３３，３４は、マーカ信号生成回路３２より入力されるマーカ信号を、オーバスキャン領域に多重化させることができる。
【００６６】
受信装置２３のアップコンバータ１に両袖補間処理の実行を開始を示すオンマーカ信号を、例えば、図９（Ａ）に示すように、フレーム中の左上部に多重化する場合、図９（Ｂ）に示すように、垂直方向に上からＬｉｎｅ５乃至Ｌｉｎｅ８で、かつ、左から１００乃至１２０サンプルの範囲で、ゲートパルスを発生するように、水平同期信号発生器５３のメモリ６２に１００乃至１２０を設定し、垂直同期信号発生器５５のメモリ６２に２３，２４，２８５，２８６の値を設定する。このようにすることで、図９（Ｂ）に示す▲１▼の範囲でゲートパルスが発生させることになるので、このタイミングで、セレクタ３３がマーカ信号生成回路３２より入力されるマーカ信号▲１▼を選択するようにすることで、図９（Ａ）に示すような位置にマーカ信号▲１▼を設定することができる。尚、図９（Ｂ）に示すマーカ信号▲１▼が多重化される領域は、フレームのＬｉｎｅ数で表されているので、垂直同期信号発生器５５のメモリ６２に設定する値は、フィールド毎に対応するものとなるため、フィールドＩのＬｉｎｅ２３，２４と、フィールドＩＩのＬｉｎｅ２８５，２８６に対応する値が設定される。
【００６７】
同様にして、図９（Ｂ）の▲２▼に設定される領域に対しては、水平同期信号発生器５３のメモリ６２に１００乃至１２０を設定し、垂直同期信号発生器５５のメモリ６２に２５，２６，２８７，２８８の値を設定し、ゲートパルスを発生させる。このようにすることで、セレクタ３４が、マーカ信号生成回路３２より発生され、上述の▲１▼と異なるマーカ信号▲２▼を選択して、後段のＤＬ３５、および、ＬＰＦ３６，３７に出力することになり、マーカ信号▲２▼が図９に示す位置に設定される。
【００６８】
さらに、上述のオンマーカ信号に対応して、受信装置２３のアップコンバータ１に両袖補間処理の実行の終了を示すオフマーカを、例えば、図１０（Ａ）に示すように、フレームの左下部に設定する場合、図１０（Ｂ）に示すように、垂直方向に下からＬｉｎｅ９乃至Ｌｉｎｅ１２で、かつ、左から１００乃至１２０サンプルの範囲で、ゲートパルスを発生するように、水平同期信号発生器５３のメモリ６２に１００乃至１２０を設定し、垂直同期信号発生器５５のメモリ６２に２５８，２５９，５２０，５２１の値を設定することで、図１０（Ｂ）に示す▲１▼の範囲でゲートパルスを発生させることができ、このタイミングで、セレクタ３３がマーカ信号生成回路３２より入力されるマーカ信号▲１▼を出力するようにさせることで、マーカ信号▲１▼を図１０に示す位置に設定することができる。
【００６９】
同様にして、図１０（Ｂ）の▲２▼に設定される領域に対しては、水平同期信号発生器５３のメモリ６２に１００乃至１２０を設定し、垂直同期信号発生器５５のメモリ６２に２６０，２６１，５２２，５２３の値を設定し、ゲートパルスを発生させる。このようにすることで、セレクタ３４がマーカ信号生成回路３２より発生される、上述の▲１▼と異なるマーカ信号▲２▼を選択し、後段のＤＬ３５、および、ＬＰＦ３６，３７に出力させることで、マーカ信号▲２▼を図１０に示す位置に設定することができる。
【００７０】
尚、このマーカ信号の設定位置は、図７に示したオーバスキャン領域であれば、上述の位置でなくてもよく、それ以外の位置であっても良い。
【００７１】
また、水平同期信号発生器５３、または、垂直同期信号発生器５５におけるゲートパルスを発生させる具体的な回路構成は、例えば、図８（Ｇ）に示すようなゲートパルスを発生させる場合、図１１に示すように、第１位ビット、および、第３位乃至最上位ビット（ＭＳＢ）を入力値とするＮＯＴ回路７１の出力値、並びに、最下位ビット（ＬＳＢ）、および、第２位ビットの出力値を入力値とするＡＮＤ回路７２より構成することができ、それ以外のゲートパルスを設定する際にも、ＬＳＢ乃至ＭＳＢの入力値と出力値の組合せを変えることで、ＮＯＴ回路とＡＮＤ回路により構成することができる。
【００７２】
次に、マーカ信号の値の設定方法について説明する。
【００７３】
マーカ信号は、上述の如く、輝度信号Ｙ、および、色差信号Ｂ−Ｙ，Ｒ−Ｙと同様のフォーマットの信号である。したがって、マーカ信号は、受信装置２３で表示される画像信号と区別できるようにするため、ＧＢＲ信号に不可逆な値を設定する。
【００７４】
より詳細には、例えば、図９，図１０のマーカ信号▲１▼の値が、Ｙ＝０．５、Ｂ−Ｙ＝０．５、Ｒ−Ｙ＝０．５、図９，図１０のマーカ信号▲２▼の値が、Ｙ＝０．２５、Ｂ−Ｙ＝０．５、Ｒ−Ｙ＝０．５のように設定されると、以下のようにＧＢＲ信号には、非可逆な値となる。すなわち、ＧＢＲ信号は、輝度信号Ｙ、および、色差信号Ｂ−Ｙ，Ｒ−Ｙに対して、以下の式（１）乃至式（３）のような関係が成り立つ。
Ｇ＝Ｙ−０．７１４Ｃｒ−０．３４４Ｃｂ・・・（１）
Ｂ＝１．７７３Ｃｂ＋Ｙ・・・（２）
Ｒ＝１．４０３Ｃｒ＋Ｙ・・・（３）
【００７５】
ここで、Ｃｂ，Ｃｒは、色差信号Ｂ−Ｙ，Ｒ−Ｙをそれぞれ示す。上記の式（１）乃至式（３）に、マーカ信号▲１▼の値として、Ｙ＝０．５、Ｂ−Ｙ＝０．５、Ｒ−Ｙ＝０．５を代入すると、以下の式（４）乃至式（６）のように演算される。
Ｇ＝０．５−０．７１４×０．５−０．３４４×０．５＝−０．０２９・・・（４）
Ｂ＝１．７７３×０．５＋０．５＝１．３８６５・・・（５）
Ｒ＝１．４０３×０．５＋０．５＝１．２０１５・・・（６）
【００７６】
ＧＢＲの各信号の値は、０乃至１の範囲であるため、式（４）に示すように、負の値が得られる場合、ＧＢＲ信号への変換が不能であることになる。
【００７７】
同様にして、上記の式（１）乃至（３）に、マーカ信号▲２▼の値として、Ｙ＝０．２５、Ｂ−Ｙ＝０．５、Ｒ−Ｙ＝０．５を代入すると、以下の式（７）乃至式（９）のように演算される。
Ｇ＝０．２５−０．７１４×（−０．５）−０．３４４×（−０．５）
＝−０．７７９・・・（７）
Ｂ＝１．７７３×（−０．５）＋０．２５＝−０．６３６５・・・（８）
Ｒ＝１．４０３×（−０．５）＋０．２５＝−０．４５１５・・・（９）
【００７８】
式（４）乃至式（６）に示す演算結果と同様にして、Ｂ，Ｒの値が負の値が得られる場合、ＧＢＲ信号への変換が不能であることになる。
【００７９】
従って、以上のようにＹ，Ｃｂ，Ｃｒを設定することで、表示される画像信号と区別が可能なマーカ信号を設定することができる。
【００８０】
Ｙ，Ｃｂ，Ｃｒの組合せのうちＧＢＲ信号に変換できない組合せは、上述の組合せ以外にも存在する。図１１乃至図２３は、これらの組合せを０．１間隔で求めたものである。尚、輝度信号Ｙは、０≦Ｙ≦１、色差信号Ｃｂ，Ｃｒは、−０．５≦Ｃｂ≦０．５，−０．５≦Ｃｒ≦０．５である。
【００８１】
図１２には、色差信号Ｃｂおよび輝度信号Ｙに対する、Ｂ信号の関係が示されている。図１２に示すように、（Ｙ，Ｃｂ，Ｂ）は、（０，−０．５，−０．８８７）、（０，−０．４，−０．７０９）、（０，−０．３，−０．５３２）、（０，−０．２，−０．３５５）、（０，−０．１，−０．１７７）、（０．１，−０．５，−０．７８７）、（０．１，−０．４，−０．６０９）、（０．１，−０．３，−０．４３２）、（０．１，−０．２，−０．２５５）、（０．１，−０．１，−０．０７７）、（０．２，−０．５，−０．６８７）、（０．２，−０．４，−０．５０９）、（０．２，−０．３，−０．３３２）、（０．２，−０．２，−０．１５５）、（０．２，０．５，１．０８６５）、（０．３，−０．５，−０．５８７）、（０．３，−０．４，−０．４０９）、（０．３，−０．３，−０．２３２）、（０．３，−０．２，−０．０５５）、（０．３，０．４，１．００９２）、（０．３，０．５，１．１８６５）、（０．４，−０．５，−０．４８７）、（０．４，−０．４，−０．３０９）、（０．４，−０．３，−０．１３２）、（０．４，０．４，１．１０９２）、（０．４，０．５，１．２８６５）、（０．５，−０．５，−０．３８７）、（０．５，−０．４，−０．２０９）、（０．５，−０．３，−０．０３２）、（０．５，０．３，１．０３１９）、（０．５，０．４，１．２０９２）、（０．５，０．５，１．３８６５）、（０．６，−０．５，−０．２８７）、（０．６，−０．４，−０．１０９）、（０．６，０．３，１．１３１９）、（０．６，０．４，１．３０９２）、（０．６，０．５，１．４８６５）、（０．７，−０．５，−０．１８７）、（０．７，−０．４，−０．００９）、（０．７，０．２，１．０５４６）、（０．７，０．３，１．２３１９）、（０．７，０．４，１．４０９２）、（０．７，０．５，１．５８６５）、（０．８，−０．５，−０．０８６）、（０．８，０．２，１．１５４６）、（０．８，０．３，１．３３１９）、（０．８，０．４，１．５０９２）、（０．８，０．５，１．６８６５）、（０．９，０．１，１．０７７３）、（０．９，０．２，１．２５４６）、（０．９，０．３，１．４３１９）、（０．９，０．４，１．６０９２）、（０．９，０．５，１．７８６５）、（１，０．１，１．１７７３）、（１，０．２，１．３５４６）、（１，０．３，１．５３１９）、（１，０．４，１．７０９２）、および、（１，０．５，１．８８６５）のとき、いずれも、Ｂ信号の値が、０以上１以下の範囲外となるので、マーカ信号として使用することができる。図１１においては、マーカ信号として使用可能な値は、斜線が掛けられたマスに記録された値である。以下、同様に表示するものとする。
【００８２】
また、図１３には、色差信号Ｃｒおよび輝度信号Ｙに対するＲ信号の関係が示されている。図１３に示すように、（Ｙ，Ｃｒ，Ｒ）は、（０，−０．５，−０．７０２）、（０，−０．４，−０．５６１）、（０，−０．３，−０．４２１）、（０，−０．２，−０．２８１）、（０，−０．１，−０．１４）、（０．１，−０．５，−０．６０２）、（０．１，−０．４，−０．４６１）、（０．１，−０．３，−０．３２１）、（０．１，−０．２，−０．１８１）、（０．１，−０．１，−０．０４）、（０．２，−０．５，−０．５０２）、（０．２，−０．４，−０．３６１）、（０．２，−０．３，−０．２２１）、（０．２，−０．２，−０．０８１）、（０．３，−０．５，−０．４０２）、（０．３，−０．４，−０．２６１）、（０．３，−０．３，−０．１２１）、（０．３，０．５，１．００１５）、（０．４，−０．５，−０．３０２）、（０．４，−０．４，−０．１６１）、（０．４，−０．３，−０．０２１）、（０．４，０．５，１．１０１５）、（０．５，−０．５，−０．２０２）、（０．５，−０．４，−０．０６１）、（０．５，０．４，１．０６１２）、（０．５，０．５，１．２０１５）、（０．６，−０．５，−０．１０２）、（０．６，０．３，１．０２０９）、（０．６，０．４，１．１６１２）、（０．６，０．５，１．３０１５）、（０．７，−０．５，−０．００２）、（０．７，０．３，１．１２０９）、（０．７，０．４，１．２６１２）、（０．７，０．５，１．４０１５）、（０．８，０．２，１．０８０６）、（０．８，０．３，１．２２０９）、（０．８，０．４，１．３６１２）、（０．８，０．５，１．５０１５）、（０．９，０．１，１．０４０３）、（０．９，０．２，１．１８０６）、（０．９，０．３，１．３２０９）、（０．９，０．４，１．４６１２）、（０．９，０．５，１．６０１５）、（１，０．１，１．１４０３）、（１，０．２，１．２８０６）、（１，０．３，１．４２０９）、（１，０．４，１．５６１２）、および、（１，０．５，１．７０１５）のとき、いずれも、Ｒ信号の値が、０以上１以下の範囲外となるので、マーカ信号として使用することができる。
【００８３】
さらに、図１４には、色差信号Ｃｒ＝０．５の場合の色差信号Ｃｂおよび輝度信号Ｙに対するＧ信号の関係が示されている。図１４に示すように、（Ｙ，Ｃｂ，Ｇ）は、（０，−０．５，−０．１８５）、（０，−０．４，−０．２１９）、（０，−０．３，−０．２５４）、（０，−０．２，−０．２８８）、（０，−０．１，−０．３２３）、（０，０，−０．３５７）、（０，０．１，−０．３９１）、（０，０．２，−０．４２６）、（０，０．３，−０．４６）、（０，０．４，−０．４９５）、（０，０．５，−０．５２９）、（０．１，−０．５，−０．０８５）、（０．１，−０．４，−０．１１９）、（０．１，−０．３，−０．１５４）、（０．１，−０．２，−０．１８８）、（０．１，−０．１，−０．２２３）、（０．１，０，−０．２５７）、（０．１，０．１，−０．２９１）、（０．１，０．２，−０．３２６）、（０．１，０．３，−０．３６）、（０．１，０．４，−０．３９５）、（０．１，０．５，−０．４２９）、（０．２，−０．４，−０．０１９）、（０．２，−０．３，−０．０５４）、（０．２，−０．２，−０．０８８）、（０．２，−０．１，−０．１２３）、（０．２，０，−０．１５７）、（０．２，０．１，−０．１９１）、（０．２，０．２，−０．２２６）、（０．２，０．３，−０．２６）、（０．２，０．４，−０．２９５）、（０．２，０．５，−０．３２９）、（０．３，−０．１，−０．０２３）、（０．３，０，−０．０５７）、（０．３，０．１，−０．０９１）、（０．３，０．２，−０．１２６）、（０．３，０．３，−０．１６）、（０．３，０．４，−０．１９５）、（０．３，０．５，−０．２２９）、（０．４，０．２，−０．０２６）、（０．４，０．３，−０．０６）、（０．４，０．４，−０．０９５）、（０．４，０．５，−０．１２９）、および、（０．５，０．５，−０．０２９）のとき、いずれも、Ｇ信号の値が、０以上１以下の範囲外となるので、マーカ信号として使用することができる。
【００８４】
また、図１５には、色差信号Ｃｒ＝０．４の場合の色差信号Ｃｂおよび輝度信号Ｙに対するＧ信号の関係が示されている。図１５に示すように、（Ｙ，Ｃｂ，Ｇ）は、（０，−０．５，−０．１１４）、（０，−０．４，−０．１４８）、（０，−０．３，−０．１８２）、（０，−０．２，−０．２１７）、（０，−０．１，−０．２５１）、（０，０，−０．２８６）、（０，０．１，−０．３２）、（０，０．２，−０．３５４）、（０，０．３，−０．３８９）、（０，０．４，−０．４２３）、（０，０．５，−０．４５８）、（０．１，−０．５，−０．０１４）、（０．１，−０．４，−０．０４８）、（０．１，−０．３，−０．０８２）、（０．１，−０．２，−０．１１７）、（０．１，−０．１，−０．１５１）、（０．１，０，−０．１８６）、（０．１，０．１，−０．２２）、（０．１，０．２，−０．２５４）、（０．１，０．３，−０．２８９）、（０．１，０．４，−０．３２３）、（０．１，０．５，−０．３５８）、（０．２，−０．２，−０．０１７）、（０．２，−０．１，−０．０５１）、（０．２，０，−０．０８６）、（０．２，０．１，−０．１２）、（０．２，０．２，−０．１５４）、（０．２，０．３，−０．１８９）、（０．２，０．４，−０．２２３）、（０．２，０．５，−０．２５８）、（０．３，０．１，−０．０２）、（０．３，０．２，−０．０５４）、（０．３，０．３，−０．０８９）、（０．３，０．４，−０．１２３）、（０．３，０．５，−０．１５８）、（０．４，０．４，−０．０２３）、および、（０．４，０．５，−０．０５８）のとき、いずれも、Ｇ信号の値が、０以上１以下の範囲外となるので、マーカ信号として使用することができる。
【００８５】
さらに、図１６には、色差信号Ｃｒ＝０．３の場合の色差信号Ｃｂおよび輝度信号Ｙに対するＧ信号の関係が示されている。図１６に示すように、（Ｙ，Ｃｂ，Ｇ）は、（０，−０．５，−０．０４２）、（０，−０．４，−０．０７７）、（０，−０．３，−０．１１１）、（０，−０．２，−０．１４５）、（０，−０．１，−０．１８）、（０，０，−０．２１４）、（０，０．１，−０．２４９）、（０，０．２，−０．２８３）、（０，０．３，−０．３１７）、（０，０．４，−０．３５２）、（０，０．５，−０．３８６）、（０．１，−０．３，−０．０１１）、（０．１，−０．２，−０．０４５）、（０．１，−０．１，−０．０８）、（０．１，０，−０．１１４）、（０．１，０．１，−０．１４９）、（０．１，０．２，−０．１８３）、（０．１，０．３，−０．２１７）、（０．１，０．４，−０．２５２）、（０．１，０．５，−０．２８６）、（０．２，０，−０．０１４）、（０．２，０．１，−０．０４９）、（０．２，０．２，−０．０８３）、（０．２，０．３，−０．１１７）、（０．２，０．４，−０．１５２）、（０．２，０．５，−０．１８６）、（０．３，０．３，−０．０１７）、（０．３，０．４，−０．０５２）、および、（０．３，０．５，−０．０８６）のとき、いずれも、Ｇ信号の値が、０以上１以下の範囲外となるので、マーカ信号として使用することができる。
【００８６】
また、図１７には、色差信号Ｃｒ＝０．２の場合の色差信号Ｃｂおよび輝度信号Ｙに対するＧ信号の関係が示されている。図１７に示すように、（Ｙ，Ｃｂ，Ｇ）は、（０，−０．４，−０．００５）、（０，−０．３，−０．０４）、（０，−０．２，−０．０７４）、（０，−０．１，−０．１０８）、（０，０，−０．１４３）、（０，０．１，−０．１７７）、（０，０．２，−０．２１２）、（０，０．３，−０．２４６）、（０，０．４，−０．２８）、（０，０．５，−０．３１５）、（０．１，−０．１，−０．００８）、（０．１，０，−０．０４３）、（０．１，０．１，−０．０７７）、（０．１，０．２，−０．１１２）、（０．１，０．３，−０．１４６）、（０．１，０．４，−０．１８）、（０．１，０．５，−０．２１５）、（０．２，０．２，−０．０１２）、（０．２，０．３，−０．０４６）、（０．２，０．４，−０．０８）、（０．２，０．５，−０．１１５）、（０．３，０．５，−０．０１５）、および、（１，−０．５，１．０２９２）のとき、いずれも、Ｇ信号の値が、０以上１以下の範囲外となるので、マーカ信号として使用することができる。
【００８７】
さらに、図１８には、色差信号Ｃｒ＝０．１の場合の色差信号Ｃｂおよび輝度信号Ｙに対するＧ信号の関係が示されている。図１８に示すように、（Ｙ，Ｃｂ，Ｇ）は、（０，−０．２，−０．００３）、（０，−０．１，−０．０３７）、（０，０，−０．０７１）、（０，０．１，−０．１０６）、（０，０．２，−０．１４）、（０，０．３，−０．１７５）、（０，０．４，−０．２０９）、（０，０．５，−０．２４３）、（０．１，０．１，−０．００６）、（０．１，０．２，−０．０４）、（０．１，０．３，−０．０７５）、（０．１，０．４，−０．１０９）、（０．１，０．５，−０．１４３）、（０．２，０．４，−０．００９）、（０．２，０．５，−０．０４３）、（０．９，−０．５，１．０００６）、（１，−０．５，１．１００６）、（１，−０．４，１．０６６２）、および、（１，−０．３，１．０３１８）のとき、いずれも、Ｇ信号の値が、０以上１以下の範囲外となるので、マーカ信号として使用することができる。
【００８８】
また、図１９には、色差信号Ｃｒ＝０の場合の色差信号Ｃｂおよび輝度信号Ｙに対するＧ信号の関係が示されている。図１９に示すように、（Ｙ，Ｃｂ，Ｇ）は、（０，０．１，−０．０３４）、（０，０．２，−０．０６９）、（０，０．３，−０．１０３）、（０，０．４，−０．１３８）、（０，０．５，−０．１７２）、（０．１，０．３，−０．００３）、（０．１，０．４，−０．０３８）、（０．１，０．５，−０．０７２）、（０．９，−０．５，１．０７２）、（０．９，−０．４，１．０３７６）、（０．９，−０．３，１．００３２）、（１，−０．５，１．１７２）、（１，−０．４，１．１３７６）、（１，−０．３，１．１０３２）（１，−０．２，１．０６６８）、および、（１，−０．１，１．０３４４）のとき、いずれも、Ｇ信号の値が、０以上１以下の範囲外となるので、マーカ信号として使用することができる。
【００８９】
さらに、図２０には、色差信号Ｃｒ＝−０．１の場合の色差信号Ｃｂおよび輝度信号Ｙに対するＧ信号の関係が示されている。図２０に示すように、（Ｙ，Ｃｂ，Ｇ）は、（０，０．３，−０．０３２）、（０，０．４，−０．０６６）、（０，０．５，−０．１０１）、（０．１，０．５，−０．０００６）、（０．８，−０．５，１．０４３４）、（０．８，−０．４，１．００９）、（０．９，−０．５，１．１４３４）、（０．９，−０．４，１．１０９）、（０．９，−０．３，１．０７４６）、（０．９，−０．２，１．０４０２）、（０．９，−０．１，１．００５８）、（１，−０．５，１．２４３４）、（１，−０．４，１．２０９）、（１，−０．３，１．１７４６）、（１，−０．２，１．１４０２）、（１，−０．１，１．１０５８）、（１，０，１．０７１４）、（１，−０．１，１．０３７）、（１，−０．２，１．００２６）のとき、いずれも、Ｇ信号の値が、０以上１以下の範囲外となるので、マーカ信号として使用することができる。
【００９０】
また、図２１には、色差信号Ｃｒ＝−０．２の場合の色差信号Ｃｂおよび輝度信号Ｙに対するＧ信号の関係が示されている。図２１に示すように、（Ｙ，Ｃｂ，Ｇ）は、（０，０．５，−０．０２９）、（０．７，−０．５，１．０１４８）、（０．８，−０．５，１．１１４８）、（０．８，−０．４，１．０８０４）、（０．８，−０．３，１．０４６）、（０．８，−０．２，１．０１１６）、（０．９，−０．５，１．２１４８）、（０．９，−０．４，１．１８０４）、（０．９，−０．３，１．１４６）、（０．９，−０．２，１．１１１６）、（０．９，−０．１，１．０７７２）、（０．９，０，１．０４２８）、（０．９，０．１，１．００８４）、（１，−０．５，１．３１４８）、（１，−０．４，１．２８０４）、（１，−０．３，１．２４６）、（１，−０．２，１．２１１６）、（１，−０．１，１．１７７２）、（１，０，１．１４２８）、（１，−０．１，１．０３７）、（１，−０．２，１．００２６）のとき、いずれも、Ｇ信号の値が、０以上１以下の範囲外となるので、マーカ信号として使用することができる。
【００９１】
さらに、図２２には、色差信号Ｃｒ＝−０．３の場合の色差信号Ｃｂおよび輝度信号Ｙに対するＧ信号の関係が示されている。図２２に示すように、（Ｙ，Ｃｂ，Ｇ）は、（０．７，−０．５，１．０８６２）、（０．７，−０．４，１．０５１８）、（０．７，−０．３，１．０１７４）、（０．８，−０．５，１．１８６２）、（０．８，−０．４，１．１５１８）、（０．８，−０．３，１．１１７４）、（０．８，−０．２，１．０８３）、（０．８，−０．１，１．０４８６）、（０．８，０，１．０１４２）、（０．９，−０．５，１．２８６２）、（０．９，−０．４，１．２５１８）、（０．９，−０．３，１．２１７４）、（０．９，−０．２，１．１８３）、（０．９，−０．１，１．１４８６）、（０．９，０，１．１１４２）、（０．９，０．１，１．０７９８）、（０．９，０．２，１．０４５４）、（０．９，０．３，１．０１１）、（１，−０．５，１．３８６２）、（１，−０．４，１．３５１８）、（１，−０．３，１．３１７４）、（１，−０．２，１．２８３）、（１，−０．１，１．２４８６）、（１，０，１．２１４２）、（１，０．１，１．１７９８）、（１，０．２，１．１４５４）、（１，０．３，１．１１１）、（１，０．４，１．０７６６）、および、（１，０．５，１．０４２２）のとき、いずれも、Ｇ信号の値が、０以上１以下の範囲外となるので、マーカ信号として使用することができる。
【００９２】
また、図２３には、色差信号Ｃｒ＝−０．４の場合の色差信号Ｃｂおよび輝度信号Ｙに対するＧ信号の関係が示されている。図２３に示すように、（Ｙ，Ｃｂ，Ｇ）は、（０．６，−０．５，１．０５７６）、（０．６，−０．４，１．０２３２）、（０．７，−０．５，１．１５７６）、（０．７，−０．４，１．１２３２）、（０．７，−０．３，１．０８８８）、（０．７，−０．２，１．０５４４）、（０．７，−０．１，１．０２）、（０．８，−０．５，１．２５７６）、（０．８，−０．４，１．２２３２）、（０．８，−０．３，１．１８８８）、（０．８，−０．２，１．１５４４）、（０．８，−０．１，１．１２）、（０．８，０，１．０８５６）、（０．８，０．１，１．０５１２）、（０．８，０．２，１．０１６８）、（０．９，−０．５，１．３５７６）、（０．９，−０．４，１．３２３２）、（０．９，−０．３，１．２８８８）、（０．９，−０．２，１．２５４４）、（０．９，−０．１，１．２２）、（０．９，０，１．１８５６）、（０．９，０．１，１．１５１２）、（０．９，０．２，１．１１６８）、（０．９，０．３，１．０８２４）、（０．９，０．４，１．０４８）、（０．９，０．５，１．０１３６）、（１，−０．５，１．４５７６）、（１，−０．４，１．４２３２）、（１，−０．３，１．３８８８）、（１，−０．２，１．３５４４）、（１，−０．１，１．３２）、（１，０，１．２８５６）、（１，０．１，１．２５１２）、（１，０．２，１．２１６８）、（１，０．３，１．１８２４）、（１，０．４，１．１４８）、および、（１，０．５，１．１１３６）のとき、いずれも、Ｇ信号の値が、０以上１以下の範囲外となるので、マーカ信号として使用することができる。
【００９３】
また、図２４には、色差信号Ｃｒ＝−０．５の場合の色差信号Ｃｂおよび輝度信号Ｙに対するＧ信号の関係が示されている。図２４に示すように、（Ｙ，Ｃｂ，Ｇ）は、（０．５，−０．５，１．０２９）、（０．６，−０．５，１．１２９）、（０．６，−０．４，１．０９４６）、（０．６，−０．３，１．０６０２）、（０．６，−０．２，１．０２５８）、（０．７，−０．５，１．２２９）、（０．７，−０．４，１．１９４６）、（０．７，−０．３，１．１６０２）、（０．７，−０．２，１．１２５８）、（０．７，−０．１，１．０９１４）、（０．７，０，１．０５７）、（０．７，０．１，１．０２２６）、（０．８，−０．５，１．３２９）、（０．８，−０．４，１．２９４６）、（０．８，−０．３，１．２６０２）、（０．８，−０．２，１．２２５８）、（０．８，−０．１，１．１９１４）、（０．８，０，１．１５７）、（０．８，０．１，１．１２２６）、（０．８，０．２，１．０８８２）、（０．８，０．３，１．０５３８）、（０．８，０．４，１．０１９４）、（０．９，−０．５，１．４２９）、（０．９，−０．４，１．３９４６）、（０．９，−０．３，１．３６０２）、（０．９，−０．２，１．３２５８）、（０．９，−０．１，１．２９１４）、（０．９，０，１．２５７）、（０．９，０．１，１．２２２６）、（０．９，０．２，１．１８８２）、（０．９，０．３，１．１５３８）、（０．９，０．４，１．１１９４）、（０．９，０．５，１．０８５）、（１，−０．５，１．５２９）、（１，−０．４，１．４９４６）、（１，−０．３，１．４６０２）、（１，−０．２，１．４２５８）、（１，−０．１，１．３９１４）、（１，０，１．３５７）、（１，０．１，１．３２２６）、（１，０．２，１．２８８２）、（１，０．３，１．２５３８）、（１，０．４，１．２１９４）、および、（１，０．５，１．１８５）のとき、いずれも、Ｇ信号の値が、０以上１以下の範囲外となるので、マーカ信号として使用することができる。
【００９４】
次に、図２５を参照して、本発明を適用した受信装置２３のアップコンバータ１の構成を説明する。図２５に示すアップコンバータ１において、図１に示す従来のアップコンバータ１と異なる構成は、マーカ信号検出部８１が設けられていることである。
【００９５】
マーカ信号検出部８１は、ＮＴＳＣ信号として入力される信号からマーカ信号を検出し、検出したマーカ信号に応じて、スイッチ１８のオン、または、オフを制御する。
【００９６】
次に、図２６を参照して、マーカ信号検出部８１の詳細について説明する。分配器９１は、入力されるＮＴＳＣ信号のうち、輝度信号Ｙを輝度信号比較器９２，９３に、色差信号Ｃｒ，Ｃｂを色差信号比較器９８，９９に、分配して出力する。輝度信号比較器９２，９３は、マーカ信号に設定された輝度信号の値を比較値として記憶したメモリ９２ａ，９３ａを備えており、入力された輝度信号Ｙが、比較値、すなわち、マーカ信号に設定された値と一致したとき、ｈｉｇｈの信号を後段のスイッチ９４，９５に出力する。メモリ９２ａ，９３ａに記憶された比較値は、図９，図１０で示す、マーカ信号▲１▼，▲２▼に相当する、それぞれに異なる値であり、例えば、メモリ９２ａには、マーカ信号▲１▼用の輝度信号の値として０．５が記憶され、メモリ９３ａには、マーカ信号▲２▼用の０．２５が記憶されている。その結果、輝度信号比較器９２，９３は、異なるマーカ信号に対して、Ｈｉｇｈの信号を後段のスイッチ９４，９５に出力することになる。
【００９７】
スイッチ９４，９５，１００，１０１は、マーカ位置検出部１０３により制御され、マーカ位置検出部１０３が入力されたＮＴＳＣ信号のマーカ信号が設定される位置を検出したときオンにされ、それ以外のときオフにされる。状態判別部９６は、スイッチ９４，９５より入力される信号と、マーカ位置検出部１０３より入力される位置情報に基づいてスイッチ１８をオンにすることを示すマーカ信号が入力されたか、オフを示すマーカ信号が入力されたか、それ以外の信号が入力されたかを判別し、判別結果を制御信号発生部９７に出力する。より詳細には、輝度信号比較器９２よりＨｉｇｈの信号が入力された直後に、輝度信号比較器９３よりＨｉｇｈの信号が入力され、さらに、マーカ位置検出部１０３より入力されたマーカ信号の位置情報が、図９（Ａ）に示すように、オーバスキャン領域の左上の位置を示す場合、スイッチ１８をオンにすることを示すマーカ信号である判別し、判別結果を制御信号発生部９７に出力する。また、図１０（Ａ）に示すようにオーバスキャン領域の左下の位置を示す場合、スイッチ１８をオフにすることを示すマーカ信号であると判別し、判別結果を制御信号発生部９７に出力する。それ以外の信号が入力された場合、状態判別部９６は、マーカ信号が検出されていないことを示す信号を制御信号発生部９７に出力する。
【００９８】
色差信号比較器９８，９９は、輝度信号比較器９２，９３と同様の処理を実行する。すなわち、色差信号比較器９８，９９は、マーカ信号に設定された色差信号の値を比較値として記憶したメモリ９８ａ，９９ａを備えており、入力された色差信号Ｃｒ，Ｃｂが、比較値、すなわち、マーカ信号に設定された値と一致したとき、ｈｉｇｈの信号を後段のスイッチ１００，１０１に出力する。メモリ９８ａ，９９ａに記憶された比較値は、図９，図１０で示す、マーカ信号▲１▼，▲２▼に相当する、それぞれに異なる値であり、例えば、メモリ９８ａには、マーカ信号用の輝度信号の値として０．５が記憶され、メモリ９９ａには、−０．５が記憶されている。その結果、輝度信号比較器９２，９３は、異なるマーカ信号に対して、Ｈｉｇｈの信号を後段のスイッチ１００，１０１に出力することになる。状態判別部１０２も、状態判別部９６と同様の処理を実行し、スイッチ１００，１０１より入力される信号と、マーカ位置検出部１０３より入力される位置情報に基づいてスイッチ１８をオンにすることを示すマーカ信号が入力されたか、オフを示すマーカ信号が入力されたか、それ以外の信号が入力されたかを判別し、判別結果を制御信号発生部９７に出力する。より詳細には、色差信号比較器９８よりＨｉｇｈの信号が入力された直後に、色差信号比較器９９よりＨｉｇｈの信号が入力され、さらに、マーカ位置検出部１０３より入力されたマーカ信号の位置情報が、図９（Ａ）に示すように、オーバスキャン領域の左上の位置を示す場合、スイッチ１８をオンにすることを示すマーカ信号である判別し、判別結果を制御信号発生部９７に出力する。また、図１０（Ａ）に示すようにオーバスキャン領域の左下の位置を示す場合、スイッチ１８をオフにすることを示すマーカ信号であると判別し、判別結果を制御信号発生部９７に出力する。それ以外の信号が入力された場合、状態判別部１０２は、マーカ信号が検出されていないことを示す信号を制御信号発生部９７に出力する。
【００９９】
制御信号発生部９７は、状態判別部９６，１０２より、それぞれに入力された判別結果が一致するとき、一致した判別結果の内容に対応したスイッチ１８の制御を実行する。すなわち、状態判別部９６，１０２より、それぞれにスイッチ１８をオンにすることを示す判別結果が入力された場合、制御信号発生部９７は、スイッチ１８をオンに制御し、状態判別部９６，１０２より、それぞれにスイッチ１８をオフにすることを示す判別結果が入力された場合、スイッチ１８をオフに制御し、それ以外の場合、スイッチ１８の状態を変化させない。
【０１００】
次に、図２７のフローチャートを参照して、送信装置が、画像信号と共にマーカ信号を送信する処理について説明する。
【０１０１】
ステップＳ１において、マトリクス回路３１は、カメラ２１により撮像された図示せぬ被写体のＲＧＢ信号からなる画像信号を、輝度信号Ｙ、および、色差信号Ｒ−Ｙ、Ｂ−Ｙに変換し、セレクタ３３ａ乃至３３ｃに出力する。
【０１０２】
ステップＳ２において、セレクタ３３，３４は、同期信号発生回路３９よりオン（Ｈｉｇｈ）のゲートパルスが入力されたか否かを判定し、例えば、送信する画像信号を受信装置２３で両袖補間処理させないようにする場合（例えば、画像にテロップを被せるような場合）、操作部４３がユーザにより操作され、操作内容に応じて、同期信号発生回路３９がゲートパルスをセレクタ３３、または、３４に出力していたとき、セレクタ３３、または、３４は、ゲートパルスが入力されていると判定し、ステップＳ３にいて、マーカ信号生成回路３２より入力されるマーカ信号を、後段のセレクタ３４、または、ＤＬ３５およびＬＰＦ３６，３７に出力する。より詳細には、セレクタ３３において、先に、ゲートパルスの有無が判定され、さらにその後、セレクタ３４において、ゲートパルスの有無が判定される。尚、ここで、セレクタ３３，３４は、両者が同時にマーカ信号を読込まない構成となっているので、マーカ信号がセレクタ３３、または、３４のいずれかで読込まれる状態か、もしくは、セレクタ３３，３４の両方で読込まれない状態となるか、のいずれかになる。
【０１０３】
ステップＳ４において、ＬＰＦ３６，３７は、セレクタ３３ｂ，３５ｃより入力された色差信号Ｂ−Ｙ，Ｒ−Ｙの高周波成分を除去して、波形整形し、それぞれＢ−Ｙ信号変調器４１、Ｒ−Ｙ信号変調器４０に出力し、ＤＬ３５は、輝度信号Ｙを遅延処理して、加算器４２に出力する。また、同期信号発生回路３９は、垂直同期信号、および、水平同期信号をＲ−Ｙ信号変調器４０、および、９０°位相器３９に出力すると共に、バースト信号を加算器４２に出力する。
【０１０４】
ステップＳ５において、Ｂ−Ｙ信号変調器４１およびＲ−Ｙ信号変調器４０は、それぞれＬＰＦ３６，３７より入力された信号を、９０°位相器３９、および、同期信号発生回路３９より入力される垂直同期信号、および、水平同期信号に同期して、変調処理し、加算器４２に出力する。
【０１０５】
ステップＳ６において、加算器４２は、ＤＬ３５、Ｂ−Ｙ信号変調器４１、Ｒ−Ｙ信号変調器４０、および、同期信号発生回路３９より入力された信号を加算して、アンテナ２２ａに出力し、放送信号として放送させ、その処理は、ステップＳ１に戻り、それ以降の処理が繰り返される。
【０１０６】
ステップＳ２において、ゲートパルスが入力されていないと判定された場合、すなわち、操作部４３がユーザにより操作されなかった場合、ステップＳ７において、セレクタ３３ａ乃至３３ｃ、または、セレクタ３４ａ乃至３４ｃは、マトリクス回路３１より入力される輝度信号Ｙおよび色差信号Ｒ−Ｙ，Ｂ−Ｙを、それぞれセレクタ３４、または、ＤＬ３５およびＬＰＦ３６，３７に出力する。
【０１０７】
尚、図９（Ａ），図１０（Ａ）に示すように、受信装置２３の両袖補間処理の有無を切り替えるスイッチ１８をオンに制御するか、または、オフに制御するかに応じて、マーカ信号の設定位置は異なるので、同期信号発生回路３９は、その設定位置に応じたタイミングでゲートパルスが出力する。より詳細には、水平同期信号発生器５３、または、ス直同期信号発生器５５のメモリ６２に記憶される値により、オンマーカ、または、オフマーカの位置が制御される。
【０１０８】
次に、受信装置２３の処理について説明する。尚、アップコンバータ１の両袖補間処理については、従来と同様であるので、その説明は省略し、ここでは、図２８のフローチャートを参照して、スイッチ１８を制御するマーカ信号検出部８１の処理について説明する。
【０１０９】
ステップＳ１１において、分配器９１は、入力された信号を輝度信号と色差信号に分配して、それぞれを輝度信号比較器９２，９３、および、色差信号比較器９８，９９に出力する。尚、入力される信号がマーカ信号である場合も、マーカ信号の輝度信号成分と色差信号成分が、それぞれ輝度信号比較器９２，９３、および、色差信号比較器９８，９９に出力される。
【０１１０】
ステップＳ１２において、輝度信号比較器９２，９３は、入力された信号とメモリ９２ａ，９２ｂに記憶されているマーカ信号として設定されている比較値と一致するか否かを判定し、比較結果をスイッチ９４，９５に出力する。また、同時に、色差信号比較器９８，９９は、メモリ９８ａ，９９ａに記憶されているマーカ信号として設定されている比較値と一致するか否かを判定し、判定結果を状態判別部１０２に出力する。より詳細には、輝度信号比較器９２，９３、および、色差信号比較器９８，９９は、比較値と一致したとき、それぞれｈｉｇｈの信号をスイッチ９４，９５，１００，１０１に出力し、それ以外の時、Ｌｏｗの信号を出力する。
【０１１１】
ステップＳ１３において、マーカ位置検出部１０３は、入力されるＮＴＳＣ信号より、マーカ信号が設定された位置であるか否かを判定し、マーカ信号が設定された位置であると判定した場合、その処理は、ステップＳ１４に進む。
【０１１２】
ステップＳ１４において、マーカ位置検出部１０３は、スイッチ９４，９５，１００，１０１をオンに制御する。尚、実質的には、ステップＳ１２乃至Ｓ１４の処理は、同時に実行されることになる。
【０１１３】
ステップＳ１５において、状態判別部９６，１０２は、輝度信号比較器９２，９３、および、色差信号比較器９８，９９より入力される比較結果に基づいて、状態を示す信号を制御信号発生部９７に出力する。より詳細には、例えば、メモリ９２ａ，９８ａに、図９，図１０に示したマーカ信号▲１▼に対応する比較値が記憶され、メモリ９３ａ，９９ａにマーカ信号▲２▼に対応する比較値が記憶されていた場合、輝度信号比較器９２と色差信号比較器９８がマーカ信号▲１▼を検出すると、それぞれがＨｉｇｈの信号を出力する。このとき、状態判別部９６は、マーカ信号▲１▼を検出したとみなし、マーカを検出したことを示す信号を制御信号発生部９７に出力する。尚、このとき、輝度信号比較器９３、および、色差信号比較器９９は、マーカ信号▲２▼の比較値がメモリ９３ａ，９９ａに記憶されているので、比較値とは一致せず、Ｌｏｗの信号を出力する。同様にして、マーカ信号▲２▼の信号が入力されると、輝度信号比較器９３、および、色差信号比較器９９が、Ｈｉｇｈの信号を状態判別部９６，１０２に出力する。
【０１１４】
図９，図１０に示すようにマーカ信号は、マーカ信号▲１▼▲２▼が組み合わさったものであるので、状態判別部９６，１０２は、マーカ信号▲１▼▲２▼が所定の間隔で入力されるとマーカ信号が検出されたと判定する。さらに、マーカ位置検出部１０３より入力されるマーカ位置情報に基づいて、そのマーカ信号が、図９（Ａ）に示すように、フレームの左上の位置か、図１０（Ｂ）に示すように、フレームの左下の位置のいずれであるかを示す情報に基づいて、スイッチ１８をオンにするマーカ信号（オンマーカ信号）であるか、オフにするマーカ信号（オフマーカ信号）であるかを判定し、判定結果を制御信号発生部９７に出力する。
【０１１５】
ステップＳ１６において、制御信号発生部９７は、スイッチ１８をオンにするマーカ信号が検出されたか否かを判定し、スイッチ１８をオンにするマーカ信号が検出されたと判定した場合、ステップＳ１７において、制御信号発生部９７は、スイッチ１８を制御して、オンにすると共に、その処理は、ステップＳ１１に戻り、それ以降の処理が繰り返される。より詳細には、ステップＳ１６において、状態判別部９６，１０２のいずれからもスイッチ１８をオンに制御するマーカ信号を検出したことを示す信号が入力されると、制御信号発生部９７は、スイッチ１８をオンに制御する。
【０１１６】
ステップＳ１６において、スイッチ１８をオンにするマーカ信号が検出されないと判定された場合、ステップＳ１７において、制御信号発生部９７は、スイッチ１８をオフにするマーカ信号が検出されたか否かを判定し、スイッチ１８をオフにするマーカ信号が検出されたと判定した場合、ステップＳ１９において、制御信号発生部９７は、スイッチ１８を制御してオフにする。より詳細には、ステップＳ１８において、状態判別部９６，１０２のいずれからもスイッチ１８をオフに制御するマーカ信号を検出したことを示す信号が入力されると、制御信号発生部９７は、スイッチ１８をオフに制御する。
【０１１７】
ステップＳ１３において、マーカ信号が設定された位置ではないと判定された場合、その処理は、ステップＳ１１処理に戻りそれ以降の処理が繰り返される。
【０１１８】
結果として、送信装置より放送される画像信号により、受信装置による両袖補間処理の有無を制御させることが可能となる。
【０１１９】
また、マーカ信号は、オーバスキャン領域に設定されているので、送信装置２２のモニタ４４では、表示されるマーカ信号を目視により確認することができるが、受信装置２３の表示部２４では、表示されないので、送信装置２２での確認と、受信装置２３の視聴者へのマーカ信号の非表示を両立させることが可能となる。
【０１２０】
以上の例においては、送信装置２２より放送する画像信号にマーカ信号を多重化させるか否かにより、受信装置２３の両袖補間処理の有無を制御する例について説明してきたが、マーカ信号は、オーバスキャン領域であればよいので、オーバスキャン領域の位置や数に応じて、さらに、異なる制御をさせるようにしても良い。また、マーカ信号は、図９，図１０に示すようなマーカ信号▲１▼▲２▼の２種類を組み合わせて使用するのみならず、組み合わせるマーカ信号の種類を２種類以上して使用するようにしても良い。
【０１２１】
以上によれば、送信装置が放送する画像信号に、受信装置を制御するマーカ信号を多重化して送信するようにしたので、マーカ信号により受信装置を制御することができるようになる。
【０１２２】
また以上の説明は、ＮＴＳＣ方式の場合あるが、画像信号が輝度信号と色差信号で構成されていれば他の方式、例えば、ＰＡＬ（Ｐｈａｓｅ  Ａｌｔｅｒｎａｔｉｎｇ  Ｌｉｎｅ）、ＳＥＣＡＭ（Ｓｅｑｕｅｎｔｉａｌ  Ｃｏｌｏｒ  ａｎｄ  Ｍｅｍｏｒｙ）、または、ＨＤＴＶ（Ｈｉｇｈ  Ｄｅｆｉｎｉｔｉｏｎ  Ｔｅｌｅｖｉｓｉｏｎ）においても同様に実行できる。
【０１２３】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行させることが可能な、例えば汎用のパーソナルコンピュータなどに記録媒体からインストールされる。
【０１２４】
図２９は、送信装置または受信装置をソフトウェアにより実現する場合のパーソナルコンピュータの一実施の形態の構成を示している。パーソナルコンピュータのＣＰＵ２０１は、パーソナルコンピュータの動作の全体を制御する。また、ＣＰＵ２０１は、バス２０４および入出力インターフェース２０５を介してユーザからキーボードやマウスなどからなる入力部２０６から指令が入力されると、それに対応してＲＯＭ（Ｒｅａｄ  Ｏｎｌｙ  Ｍｅｍｏｒｙ）２０２に格納されているプログラムを実行する。あるいはまた、ＣＰＵ２０１は、ドライブ２１０に接続された磁気ディスク２２１、光ディスク２２２、光磁気ディスク２２３、または半導体メモリ２２４から読み出され、記憶部２０８にインストールされたプログラムを、ＲＡＭ（Ｒａｎｄｏｍ  Ａｃｃｅｓｓ  Ｍｅｍｏｒｙ）２０３にロードして実行する。これにより、上述した画像処理装置の機能が、ソフトウェアにより実現されている。さらに、ＣＰＵ２０１は、通信部２０９を制御して、外部と通信し、データの授受を実行する。
【０１２５】
プログラムが記録されている記録媒体は、図２９に示すように、コンピュータとは別に、ユーザにプログラムを提供するために配布される、プログラムが記録されている磁気ディスク２２１（フロッピーディスクを含む）、光ディスク２２２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク２２３（ＭＤ（Ｍｉｎｉ−Ｄｉｓｃ）を含む）、もしくは半導体メモリ２２４などよりなるパッケージメディアにより構成されるだけでなく、コンピュータに予め組み込まれた状態でユーザに提供される、プログラムが記録されているＲＯＭ２０２や、記憶部２０８に含まれるハードディスクなどで構成される。
【０１２６】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１２７】
また、本明細書において、システムとは、複数の装置により構成される装置全体を表すものである。
【０１２８】
【発明の効果】
本発明の送信装置および方法、並びにプログラムによれば、受信装置による画像信号の表示を制御する輝度信号と色差信号との組み合わせに関する信号のうち、その組み合わせの輝度信号と色差信号とに基づいて計算される、光の３原色信号に対応する値が、０以上１以下の範囲とならない信号である制御信号を生成し、生成した制御信号を、画像信号に多重化し、制御信号を多重化した画像信号を、受信装置に送信するようにした。
【０１２９】
本発明の受信装置および方法、並びにプログラムによれば、輝度信号と色差信号との組み合わせに関する信号のうち、その組み合わせの輝度信号と色差信号とに基づいて計算される、光の３原色信号に対応する値が、０以上１以下の範囲とならない信号である制御信号が多重化された画像信号を受信し、受信した画像信号より、制御信号を抽出し、抽出した制御信号に基づいて、画像信号の表示を制御するようにした。
【０１３０】
本発明の放送システムおよび方法、並びにプログラムによれば、送信装置が、受信装置による画像信号の表示を制御する、輝度信号と色差信号との組み合わせに関する信号のうち、その組み合わせの輝度信号と色差信号とに基づいて計算される、光の３原色信号に対応する値が、０以上１以下の範囲とならない信号である制御信号を生成し、生成した制御信号を、画像信号に多重化し、制御信号を多重化した画像信号を、受信装置に送信し、受信装置が、制御信号が多重化された画像信号を受信し、受信した画像信号より、制御信号を抽出し、抽出した制御信号に基づいて、画像信号の表示を制御するようにした。
【０１３１】
結果として、いずれにおいても、送信装置が放送する画像信号に、受信装置による画像信号の表示を制御する、輝度信号と色差信号との組み合わせに関する信号のうち、その組み合わせの輝度信号と色差信号と基づいて計算される、光の３原色信号に対応する値が、０以上１以下の範囲とならない信号である制御信号を多重化して送信するようにしたので、送信装置が受信装置を制御することが可能となる。
【図面の簡単な説明】
【図１】従来のアップコンバータを示すブロック図である。
【図２】アップコンバータの処理を説明する図である。
【図３】本発明を適応した放送システム示すブロック図である。
【図４】図３の送信装置の構成を示すブロック図である。
【図５】図４の同期信号発生回路の構成を示すブロック図である。
【図６】図５の水平同期信号発生器の構成を示すブロック図である。
【図７】ＮＴＳＣ方式の画像信号の構成を示す図である。
【図８】図５の同期信号発生回路がゲートパルスを発生するタイミングを示すタイミングチャートである。
【図９】オンマーカ信号を説明する図である。
【図１０】オフマーカ信号を説明する図である。
【図１１】図５の同期信号発生回路の具体的な回路構成例を示す図である。
【図１２】マーカ信号として設定できる輝度信号と色差信号の組合せを示す図である。
【図１３】マーカ信号として設定できる輝度信号と色差信号の組合せを示す図である。
【図１４】マーカ信号として設定できる輝度信号と色差信号の組合せを示す図である。
【図１５】マーカ信号として設定できる輝度信号と色差信号の組合せを示す図である。
【図１６】マーカ信号として設定できる輝度信号と色差信号の組合せを示す図である。
【図１７】マーカ信号として設定できる輝度信号と色差信号の組合せを示す図である。
【図１８】マーカ信号として設定できる輝度信号と色差信号の組合せを示す図である。
【図１９】マーカ信号として設定できる輝度信号と色差信号の組合せを示す図である。
【図２０】マーカ信号として設定できる輝度信号と色差信号の組合せを示す図である。
【図２１】マーカ信号として設定できる輝度信号と色差信号の組合せを示す図である。
【図２２】マーカ信号として設定できる輝度信号と色差信号の組合せを示す図である。
【図２３】マーカ信号として設定できる輝度信号と色差信号の組合せを示す図である。
【図２４】マーカ信号として設定できる輝度信号と色差信号の組合せを示す図である。
【図２５】本発明を適用したアップコンバータの構成を示すブロック図である。
【図２６】図２５のマーカ検出部の構成を示すブロック図である。
【図２７】図４の送信装置の画像信号の送信処理を説明するフローチャートである。
【図２８】図２６のマーカ信号検出部のマーカ信号検出処理を説明するフローチャートである。
【図２９】媒体を説明する図である。
【符号の説明】
２２  送信装置，  ２３  受信装置，  ３１  マトリクス回路，  ３２  マーカ信号生成回路，  ３３，３４  セレクタ，  ３９  同期信号発生回路，  ５３水平同期信号発生器，  ５５  垂直同期信号発生器，  ６１  比較器，  ６２，６２ａ，６２ｂ，６２ｃ  メモリ，８１  マーカ信号検出部，  ９２，９３  輝度信号比較器，  ９２ａ，９３ａ  メモリ，  ９２，９３  スイッチ，  ９６状態判別部，  ９７  制御信号発生部，  ９８，９９  色差信号比較器，  ９８ａ，９９ａ  メモリ，  １００，１０１  スイッチ，  １０２  状態判別部
【図１】
0003567141.tif 000002
【図２】
0003567141.tif 000003
【図３】
0003567141.tif 000004
【図４】
0003567141.tif 000005
【図５】
0003567141.tif 000006
【図６】
0003567141.tif 000007
【図７】
0003567141.tif 000008
【図８】
0003567141.tif 000009
【図９】
0003567141.tif 000010
【図１０】
0003567141.tif 000011
【図１１】
0003567141.tif 000012
【図１２】
0003567141.tif 000013
【図１３】
0003567141.tif 000014
【図１４】
0003567141.tif 000015
【図１５】
0003567141.tif 000016
【図１６】
0003567141.tif 000017
【図１７】
0003567141.tif 000018
【図１８】
0003567141.tif 000019
【図１９】
0003567141.tif 000020
【図２０】
0003567141.tif 000021
【図２１】
0003567141.tif 000022
【図２２】
0003567141.tif 000023
【図２３】
0003567141.tif 000024
【図２４】
0003567141.tif 000025
【図２５】
0003567141.tif 000026
【図２６】
0003567141.tif 000027
【図２７】
0003567141.tif 000028
【図２８】
0003567141.tif 000029
【図２９】
0003567141.tif 000030